【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
液面の高さを測定する液面センサであって、
液体を含む容積を形成する少なくとも１つの壁を有する容器と、
前記容積内の前記液体と相互作用するよう、前記少なくとも１つの前記容器の壁に沿って配列された複数の圧電センサであって、前記圧電センサのうちの２つは、前記容積内の前記液体により、前記２つの圧電センサのうちの第１の圧電センサの表面領域の全部でなく一部と、前記２つの圧電センサのうちの第２の圧電センサの表面領域の全部でなく一部とが同時に覆われ得るよう配置され、前記第１の圧電センサの前記表面領域の前記液体に覆われる部分は、前記第２の圧電センサの前記表面領域の前記液体に覆われる部分よりも大きい、複数の圧電センサと、
前記各圧電センサに動作可能に接続し、当該各圧電センサと電気信号をやり取りするよう設定された一対の導体と、を含む液面センサ。
【請求項２】
前記各圧電センサからの前記一対の導体に動作可能に接続する制御装置であって、前記第１の圧電センサおよび前記第２の圧電センサに動作可能に接続する前記一対の導体を介して、前記第１の圧電センサおよび前記第２の圧電センサを起動し、前記第１の圧電センサから受信する電気信号と、前記第２の圧電センサから受信する電気信号との間の差から、液面を特定するよう設定された制御装置をさらに含む請求項１に記載の液面センサ。
【請求項３】
前記制御装置は、前記容器の第１の向きとは異なる前記容器の第２の向きを、前記第１の向きにおいて前記第１および前記第２の圧電センサから受信する電気信号と、前記第２の向きにおいて前記第１および前記第２の圧電センサから受信する電気信号との間の差から特定するよう設定されている、請求項２に記載の液面センサ。
【請求項４】
前記容積内の液体により、前記第１の圧電センサの前記表面領域の部分と、前記第２の圧電センサの前記表面領域の部分と、自身の表面領域の部分とが、同時に覆われ得るように、前記２つの圧電センサ間の位置に配置された第３の圧電センサであって、前記第１の圧電センサの前記表面領域の前記液体に覆われる部分は、前記第３の圧電センサの前記表面領域の前記液体に覆われる部分より大きく、前記第３の圧電センサの前記表面領域の前記液体に覆われる部分は、前記第２の圧電センサの前記表面領域の前記液体に覆われる部分より大きい、第３の圧電センサをさらに含む請求項１に記載の液面センサ。
【請求項５】
前記各圧電センサからの前記一対の導体に動作可能に接続する制御装置であって、前記圧電センサに動作可能に接続する前記一対の導体を介して、前記第１の圧電センサ、前記第２の圧電センサ、および前記第３の圧電センサを起動し、前記第１の圧電センサから受信する電気信号と、前記第２の圧電センサから受信する電気信号と、前記第３の圧電センサから受信する電気信号との間の差から液面を特定するよう設定された制御装置をさらに含む請求項４に記載の液面センサ。
【請求項６】
前記各圧電センサからの前記一対の導体に動作可能に接続する制御装置であって、前記圧電センサに動作可能に接続する前記一対の導体を介して、前記第１の圧電センサ、前記第２の圧電センサ、および前記第３の圧電センサのうちの少なくとも１つを起動し、前記第１の圧電センサから受信する電気信号と、前記第２の圧電センサから受信する電気信号と、前記第３の圧電センサから受信する電気信号との間の差から液面を特定するよう設定された制御装置をさらに含む請求項４に記載の液面センサ。
【請求項７】
前記第３の圧電センサと前記第１の圧電センサとの間の距離が、前記第３の圧電センサと前記第２の圧電センサとの間の距離と等しい、請求項４に記載の液面センサ。
【請求項８】
前記第３の圧電センサと前記第１の圧電センサとの間の距離が、前記第３の圧電センサと前記第２の圧電センサとの間の距離とは異なる、請求項４に記載の液面センサ。
【請求項９】
前記複数の圧電センサは非線形の配列に配置されている、請求項１に記載の液面センサ。
【請求項１０】
複数のインクジェット式吐出器を有し、前記インクジェット式吐出器から下地上にインクを吐出するよう設定されたインクジェット式印刷装置と、
前記複数のインクジェット式吐出器に前記インクを供給するよう設定され、前記インクを含む容積を形成する少なくとも１つの壁を有するインク容器と、
前記容積内の前記インクと相互作用するよう、前記インク容器の前記少なくとも１つの壁に沿って配列された複数の圧電センサであって、前記圧電センサのうちの２つは、前記容積内の前記インクにより、前記２つの圧電センサのうちの第１の圧電センサの表面領域の全部でなく一部と、前記２つの圧電センサのうちの第２の圧電センサの表面領域の全部でなく一部とが同時に覆われ得るよう配置され、前記第１の圧電センサの前記表面領域の前記インクにより覆われる部分は、前記第２の圧電センサの前記表面領域の前記インクにより覆われる部分より大きい、複数の圧電センサと、
前記各圧電センサに動作可能に接続し、当該各圧電センサと電気信号をやり取りするよう設定された一対の導体と、を含むインクジェットプリンタ。
【請求項１１】
前記インク容器は前記インクジェット式印刷装置内に組み込まれ、前記インク容器内のインクは前記インクジェット式吐出器と直接流体連結する、請求項１０に記載のインクジェットプリンタ。
【請求項１２】
前記各圧電センサからの前記一対の導体に動作可能に接続する制御装置であって、前記第１の圧電センサおよび前記第２の圧電センサに動作可能に接続する前記一対の導体を介して、前記第１の圧電センサおよび前記第２の圧電センサを起動し、前記第１の圧電センサから受信する電気信号と、前記第２の圧電センサから受信する電気信号との間の差から、インク面を特定するよう設定された制御装置をさらに含む請求項１０に記載のインクジェットプリンタ。
【請求項１３】
前記容積内のインクにより、前記第１の圧電センサの前記表面領域の部分と、前記第２の圧電センサの前記表面領域の部分と、自身の表面領域の部分とが同時に覆われ得るように、前記２つの圧電センサ間に配置された第３の圧電センサであって、前記第１の圧電センサの前記表面領域の前記インクに覆われる部分は、前記第３の圧電センサの前記表面領域の前記インクに覆われる部分より大きく、前記第３の圧電センサの前記表面領域の前記インクに覆われる部分は、前記第２の圧電センサの前記表面領域の前記インクに覆われる部分より大きい、第３の圧電センサをさらに含む請求項１０に記載のインクジェットプリンタ。
【請求項１４】
前記各圧電センサからの前記一対の導体に動作可能に接続する制御装置であって、前記第１の圧電センサ、前記第２の圧電センサ、および前記第３の圧電センサにそれぞれ動作可能に接続する前記一対の導体を介して、前記第１の圧電センサ、前記第２の圧電センサ、および前記第３の圧電センサを起動し、前記第１の圧電センサから受信する電気信号と、前記第２の圧電センサから受信する電気信号と、前記第３の圧電センサから受信する電気信号との間の差からインク面を特定するよう、設定された制御装置をさらに含む請求項１３に記載のインクジェットプリンタ。
【請求項１５】
前記各圧電センサからの前記一対の導体に動作可能に接続する制御装置であって、前記圧電センサに動作可能に接続する前記一対の導体を介して、前記第１の圧電センサ、前記第２の圧電センサ、および前記第３の圧電センサのうちの少なくとも１つを起動し、前記第１の圧電センサから受信する電気信号と、前記第２の圧電センサから受信する電気信号と、前記第３の圧電センサから受信する電気信号との間の差からインク面を特定するよう設定された制御装置をさらに含む、請求項１３に記載のインクジェットプリンタ。
【請求項１６】
前記第３の圧電センサと前記第１の圧電センサとの間の距離が、前記第３の圧電センサと前記第２の圧電センサとの間の距離と等しい、請求項１３に記載のインクジェットプリンタ。
【請求項１７】
前記第３の圧電センサと前記第１の圧電センサとの間の距離が、前記第３の圧電センサと前記第２の圧電センサとの間の距離とは異なる、請求項１３に記載のインクジェットプリンタ。
【請求項１８】
液体インクを収容するインクカートリッジであって、
前記インクカートリッジ内に形成され、前記液体インクを収容する容積を形成する少なくとも１つの壁を有するインク容器と、
前記容積内の前記液体インクと相互作用するよう、前記インク容器の前記少なくとも１つの壁に沿って配列された複数の圧電センサであって、前記圧電センサのうちの２つは、前記容積内の前記液体インクにより、前記２つの圧電センサのうちの第１の圧電センサの表面領域の全部でなく一部と、前記２つの圧電センサのうちの第２の圧電センサの表面領域の全部でなく一部とが同時に覆われ得るよう配置され、前記第１の圧電センサの前記表面領域の前記液体インクに覆われる部分は、前記第２の圧電センサの前記表面領域の前記液体インクに覆われる部分よりも大きい、複数の圧電センサと、
前記各圧電センサに動作可能に接続し、当該各圧電センサと電気信号をやり取りするよう設定された対の導体と、を含むインクカートリッジ。
【請求項１９】
前記各圧電センサからの前記対の導体に動作可能に接続する制御装置であって、前記第１の圧電センサおよび前記第２の圧電センサに動作可能に接続する前記対の導体を介して、前記第１の圧電センサおよび前記第２の圧電センサを起動し、前記第１の圧電センサから受信する電気信号と、前記第２の圧電センサから受信する電気信号との間の差から、液体インク面を特定するよう設定された制御装置をさらに含む、請求項１８に記載のインクカートリッジ。